【事件の表示】
　特願２０１８−１５６７８２号「遊技機」拒絶査定不服審判事件〔平成３０年１１月２２日出願公開、特開２０１８−１８３６５７号〕について、次のとおり審決する。
【結　論】
　本件審判の請求は、成り立たない。
【理　由】
１　手続の経緯
　本願は、平成３０年８月２３日の出願であって、令和１年６月１２日付けで拒絶の理由が通知され、同年８月２３日に意見書及び手続補正書が提出されたところ、同年１０月４日付けで拒絶査定がなされた。これに対し同年１２月２７日に拒絶査定不服審判の請求がなされると同時に手続補正書が提出され、これに対して、令和２年８月１８日付けで当審において拒絶の理由（以下、「当審拒絶理由」という。）が通知され、同年１０月１９日に意見書及び手続補正書が提出されたものである。
　
２　本願発明　
　本願の請求項１に係る発明（以下、「本願発明」という。）は、令和２年１０月１９日に提出された手続補正書の特許請求の範囲の請求項１に記載された次のとおりのものである（Ａ〜Ｑは、本願発明を分説するため当審で付与した。）。
　
（本願発明）
「【請求項１】
Ａ　複数の表示演出を実行可能な表示手段を備える遊技機であって、
Ｂ　前記複数の表示演出のうちの一つの演出として、第１の表示演出をおこなう場合があり、
Ｃ　前記複数の表示演出のうちの一つの演出として、第２の表示演出をおこなう場合があり、
Ｄ　前記複数の表示演出のうちの一つの演出として、第３の表示演出をおこなう場合があり、
Ｅ　前記複数の表示演出のうちの一つの演出として、第４の表示演出をおこなう場合があり、
Ｆ　前記複数の表示演出のうちの一つの演出として、第５の表示演出をおこなう場合があり、
Ｇ　前記複数の表示演出のうちの一つの演出として、第６の表示演出をおこなう場合があり、
Ｈ　前記第１の表示演出は、待ち受け表示をおこなう演出であり、
Ｉ　前記第２の表示演出は、大当たり遊技中の大当たり遊技表示をおこなう演出であり、
Ｊ　前記第３の表示演出は、遊技者の遊技に関してのめり込みを注意喚起する第１ののめり込み注意喚起表示をおこなう演出であり、
Ｋ　前記第４の表示演出は、前記第１ののめり込み注意喚起表示とは異なる第２ののめり込み注意喚起表示をおこなう演出であり、
Ｌ　前記第２ののめり込み注意喚起表示は、のめり込みを注意喚起するための文言が前記第１ののめり込み注意喚起表示と異なっており、
Ｍ　前記第５の表示演出は、前記第１ののめり込み注意喚起表示および前記第２ののめり込み注意喚起表示とは異なる表示であって遊技者に対して忘れ物に注意するように注意喚起する忘れ物注意喚起表示をおこなう演出であり、
Ｎ　前記第６の表示演出は、前記遊技機の製造メーカーを表す製造メーカー表示をおこなう演出であり、
Ｏ　前記第１の表示演出と前記第２の表示演出と前記第３の表示演出と前記第４の表示演出と前記第５の表示演出と前記第６の表示演出とを含む組み合わせ演出がおこなわれる場合があり、
Ｐ　前記組み合わせ演出では、前記第１の表示演出における前記待ち受け表示と前記第３の表示演出における前記第１ののめり込み注意喚起表示とが同時期に前記表示手段に表示された後、前記第２の表示演出がおこなわれ、前記第２の表示演出がおこなわれた後、前記第４の表示演出と前記第５の表示演出とがおこなわれ、前記第４の表示演出における前記第２ののめり込み注意喚起表示と前記第５の表示演出における前記忘れ物注意喚起表示とは前記表示手段において同時に表示され、前記第６の表示演出は、前記第２の表示演出の後であって、前記第４の表示演出と前記第５の表示演出とがおこなわれる前におこなわれる、
Ｑ　ことを特徴とする遊技機。」
３　拒絶の理由の概要
　当審拒絶理由の概要は、
（理由１）
　令和１年１２月２７日に提出された手続補正書により補正がされた請求項１に係る発明は、本願の出願前に日本国内又は外国において、電気通信回線を通じて公衆に利用可能となった下記の引用文献１に記載された発明であるから、特許法第２９条第１項第３号に該当し、特許を受けることができない、
（理由２）
　令和１年１２月２７日に提出された手続補正書により補正がされた請求項１に係る発明は、本願の出願前に日本国内又は外国において、電気通信回線を通じて公衆に利用可能となった下記の引用文献１に記載された発明、又は引用文献１に記載された発明及び周知の事項に基いて、その出願前にその発明の属する技術の分野における通常の知識を有する者が容易に発明をすることができたものであるから、特許法第２９条第２項の規定により特許を受けることができない、
（理由３）
　この出願は、特許請求の範囲の記載が、特許法第３６条第６項第２号に規定する要件を満たしていない、
というものである。
引用文献１：特開２０１７−８０３２３号公報
引用文献２：特開２０１７−４７３２１号公報（周知技術を示す文献）
４　引用文献に記載された事項
（１）　引用文献１
　当審拒絶理由に引用され、本願の出願前に電気通信回線を通じて公衆に利用可能となった上記引用文献１には、「遊技機」の発明に関し、図面と共に以下の事項が記載されている（下線は当審で付した。以下同様。）。
ア　「【００１０】
　第１の実施形態の
遊技機１０
遊技盤３０
は
収納されている
・・・
　【００１５】
　次に、遊技盤３０について図２を用いて説明する。図２は、第１の実施形態の遊技盤の一例を示す正面図である。
　
遊技盤３０の表面には
遊技領域３２が形成され
遊技領域３２には
表示装置
４１を備え
　【００１６】
　
表示装置４１は
表示画面を有する装置で構成され
表示画面
には、複数の識別情報（特別図柄）や特図変動表示ゲームを演出するキャラクタや演出効果を高める背景画像等の遊技に関する情報が表示され
識別情報として割り当てられた複数の特別図柄が変動表示（可変表示）されて、特図変動表示ゲームに対応した飾り特図変動表示ゲームがおこなわれる。また、表示画面には、遊技の進行にもとづく演出のための画像（
、大当り表示画像、ファンファーレ表示画像、エンディング表示画像等）が表示され
イ　「【０６０８】
　
遊技機１０において実行される特図ゲームは、大当り１と、大当り２と、大当り３と、大当り４と、小当りとを当り種別に含む
各当りには
エンディング種別とが設定され
・・・
　【０６１１】
　たとえば、大当り１は、当り中のラウンド数「１６」と、当り終了後の変動表示「１００回」までの確率変動と、さらに確率変動終了後の変動表示「１００回」までの普電サポートを有する性能である。また、大当り１は、
大当り終了後に表示装置４１において、「エンディング１」
を表示する
・・・
　【０６１７】
　次に、
エンディング種別について
　まず、
「エンディング１」
「エンディング１」は、確率変動および普電サポートがない遊技状態で発生した当りが大当り１または大当り２のときに、当該当りの終了時に選択され
・・・
　【０６２０】
　
「エンディング１」は
企業ロゴ表示をおこなう
　【０６２１】
　ここで企業ロゴ表示について図１０５を用いて説明する。図１０５は、第１の実施形態の当り終了後の企業ロゴ表示の一例を示す図である。図１０５（１）に示す
企業ロゴ表示は
企業のロゴを表示する
企業ロゴ表示は、遊技機１０の製造企業名
　【０６２２】
　
「エンディング１」は
企業ロゴ表示の後
注意喚起Ａ表示をおこなう
注意喚起Ａ表示は
プリペイドカードの取り忘れに対する注意を喚起する表示である
・・・
　【０６２４】
　
「エンディング１」は
注意喚起Ｂ表示をおこなう
注意喚起Ｂ表示は
遊技へののめり込みに対する注意を喚起する表示である
　【０６２５】
　ここで注意喚起Ｂ表示について図１０７を用いて説明する。図１０７は、第１の実施形態の当り終了後の注意喚起Ｂ表示の一例を示す図である。図１０７（１）に示す
注意喚起Ｂ表示は、メッセージ「のめり込みに注意しましょう」を表示する
・・・
　【０６２７】
・・・また、遊技機１０は、タイミングＴ１４からタイミングＴ１６の間に、
注意喚起Ａ表示と注意喚起Ｂ表示とを並行して表示し
【図１０７】
ウ　「【０６９２】
　［ステップＤ５７］制御部は、ＭＯＤＥのデータが大当り系コマンド範囲内にあるか否かを判定する。制御部は、ＭＯＤＥのデータが大当り系コマンド範囲内にある場合に大当り系コマンド処理（詳細省略）を実行し（ステップＤ５８）、ＭＯＤＥのデータが大当り系コマンド範囲内にない場合にステップＤ５９に進む。大当り系コマンドは、
大当り中演出に関する動作
ラウンド画面の表示
エ　「【０８１３】
　次に、第３の実施形態のオプション設定時の表示画面について図１２８と図１２９を用いて説明する。図１２８は、第３の実施形態のオプション設定時の表示画面の一例（その１）を示す図である。図１２９は、第３の実施形態のオプション設定時の表示画面の一例（その２）を示す図である。
　【０８１４】
　（１）に示す
表示画面７２０は、客待ち画面
である
表示画面７２０は、客待ち表示７２１
を含む
・・・
　【０８１６】
　（２）に示す
表示画面７２０ａは
客待ち画面からオプション設定画面に切り替わる際に挿入される
表示画面７２０ａは、注意喚起表示７２３を含む
注意喚起表示７２３は、大きなフォントのメッセージ「のめり込みに注意しましょう」と小さなフォントの詳細な注意事項とを表示する
注意喚起表示７２３の掲出タイミングをオプション設定のタイミングとすることで、遊技者が遊技開始前あるいは遊技を中断して冷静な状態で注意喚起をおこなうことができる
遊技者の不快感の軽減と注意喚起効果の向上との両立を図ることができる
【図１２８】
オ　「【０９３６】
　また、開示した実施形態はすべての点で例示されるものであって制限的なものではないと考えられるべきである。また、上述の実施形態および変形例の
各構成を組み合わせて適用し
カ　図１０３から、企業ロゴ表示の後、注意喚起Ａ表示及び注意喚起Ｂ表示をおこなうことが看取される。
【図１０３】
キ　【０８１６】の「表示画面７２０ａは、客待ち画面からオプション設定画面に切り替わる際に挿入される。表示画面７２０ａは、注意喚起表示７２３を含む。注意喚起表示７２３は、大きなフォントのメッセージ「のめり込みに注意しましょう」と小さなフォントの詳細な注意事項とを表示する。」との記載と、図１２８（２）に示されている、注意喚起表示７２３の上段の大きなフォントのメッセージ「のめり込みに注意しましょう」と下段の小さなフォント表示から、
「客待ち画面からオプション設定画面に切り替わる際に挿入される、表示画面７２０ａは、上段に大きなフォントのメッセージ「のめり込みに注意しましょう」と、その下段に小さなフォントの詳細な注意事項とを表示する、注意喚起表示７２３を含み」との事項が導かれる。
ク　【０６２５】の「図１０７（１）に示す注意喚起Ｂ表示は、メッセージ「のめり込みに注意しましょう」を表示する。」との記載と、【０８１６】の「注意喚起表示７２３は、大きなフォントのメッセージ「のめり込みに注意しましょう」と小さなフォントの詳細な注意事項とを表示する。」との記載、図１０７（１）及び図１２８（２）の記載から、
「注意喚起Ｂ表示は、注意喚起表示７２３と「のめり込みに注意しましょう」の文言が一致する一方、注意喚起表示７２３はさらに詳細な注意事項の文言を有する点で注意喚起Ｂ表示と異なり」との事項が導かれる。
　そして、上記記載事項ア〜オに記載された事項、図面に記載された事項カ、及び、記載事項及び図面から導かれる事項（以下、「認定事項」という。）キ〜クを総合すると、引用文献１には、次の発明（以下、「引用発明」という。）が記載されていると認められる（ａ〜ｑは、本願発明のＡ〜Ｑに概ね対応させて当審にて付与した。また、丸括弧内に示された段落番号は、引用文献１における引用箇所を示す。また、同丸括弧内に示された認定事項記号は、関連する認定事項を示す。）。
　
（引用発明）
ａ　遊技機１０であって（【００１０】）、
　遊技機１０は、遊技盤３０が収納され（【００１０】）、遊技盤３０の表面には、遊技領域３２が形成され、遊技領域３２には、表示装置４１を備え（【００１５】）、
　表示装置４１は、表示画面を有する装置で構成され、表示画面には、複数の識別情報（特別図柄）や特図変動表示ゲームを演出するキャラクタや演出効果を高める背景画像等の遊技に関する情報が表示され、識別情報として割り当てられた複数の特別図柄が変動表示（可変表示）されて、特図変動表示ゲームに対応した飾り特図変動表示ゲームがおこなわれ、遊技の進行にもとづく演出のための画像（大当り表示画像、ファンファーレ表示画像、エンディング表示画像等）が表示され（【００１６】）、
ｂｈ　客待ち画面である表示画面７２０は、客待ち表示７２１を含み（【０８１４】）、
ｃｉｐ　大当り中演出に関する動作として、ラウンド画面の表示等を行い（【０６９２】）、
ｄｊ　客待ち画面からオプション設定画面に切り替わる際に挿入される、表示画面７２０ａは、上段に大きなフォントのメッセージ「のめり込みに注意しましょう」と、その下段に小さなフォントの詳細な注意事項とを表示する、注意喚起表示７２３を含み（認定事項キ）、
　注意喚起表示７２３の掲出タイミングをオプション設定のタイミングとすることで、遊技者が遊技開始前あるいは遊技を中断して冷静な状態で注意喚起をおこなうことができ、遊技者の不快感の軽減と注意喚起効果の向上との両立を図ることができ（【０８１６】）、
ｅｋｌｐ　遊技機１０において実行される特図ゲームは、大当り１と、大当り２と、大当り３と、大当り４と、小当りとを当り種別に含み、各当りには、エンディング種別が設定され（【０６０８】）、
　エンディング種別「エンディング１」は、確率変動および普電サポートがない遊技状態で発生した当りが大当り１または大当り２のときに、当該当りの終了時に選択され（【０６１７】）、
　「エンディング１」は、大当り終了後に表示装置４１において、表示され（【０６１１】）、
　「エンディング１」は、遊技へののめり込みに対する注意を喚起する表示である注意喚起Ｂ表示をおこない、注意喚起Ｂ表示は、メッセージ「のめり込みに注意しましょう」を表示し（【０６２４】、【０６２５】）、
　注意喚起Ｂ表示は、注意喚起表示７２３と「のめり込みに注意しましょう」の文言が一致する一方、注意喚起表示７２３はさらに詳細な注意事項の文言を有する点で注意喚起Ｂ表示と異なり（認定事項ク）、
ｆｍ　「エンディング１」は、プリペイドカードの取り忘れに対する注意を喚起する表示である、注意喚起Ａ表示をおこない（【０６２２】）、
ｇｎ　「エンディング１」は、遊技機１０の製造企業名を表示する企業ロゴ表示をおこない（【０６２０】、【０６２１】）、企業ロゴ表示の後、注意喚起Ａ表示及び注意喚起Ｂ表示をおこない（【０６２２】、【０６２４】、図１０３）、
ｏ　各構成は組み合わせて適用するものであり（【０９３６】）、
ｐ　　注意喚起Ａ表示と注意喚起Ｂ表示とを並行して表示する（【０６２７】）、
ｑ　遊技機１０（【００１０】）。」
５　本願発明と引用発明の対比
　本願発明と引用発明とを分説にしたがって対比する。
（１）（構成Ａ）
　引用発明の構成ａの「遊技機１０」、「表示装置４１」は、それぞれ本願発明の構成Ａの「遊技機」、「表示手段」に相当する。
　また、引用発明の構成ａの「複数の識別情報（特別図柄）や特図変動表示ゲームを演出するキャラクタや演出効果を高める背景画像等の遊技に関する情報が表示され、識別情報として割り当てられた複数の特別図柄が変動表示（可変表示）されて、特図変動表示ゲームに対応した飾り特図変動表示ゲームがおこなわれ、遊技の進行にもとづく演出のための画像（大当り表示画像、ファンファーレ表示画像、エンディング表示画像等）が表示され」ることは、本願発明の構成Ａの「複数の表示演出を実行」することに相当する。
　してみると、引用発明の構成ａは、本願発明の構成Ａに相当する構成を有する。
（２）（構成Ｂ、Ｈ）
　引用発明の構成ｂｈの「客待ち表示７２１」「を含」む「客待ち画面である表示画面７２０」を表示することは、本願発明の構成Ｂの「複数の表示演出のうちの一つの演出として」の「第１の表示演出をおこなう」ことに相当するとともに、引用発明の構成ｂｈの「客待ち表示７２１」「を含」む「客待ち画面である表示画面７２０」は本願発明の構成Ｈの「待ち受け表示をおこなう演出」に相当する。
　してみると、引用発明の構成ｂｈは、本願発明の構成Ｂ、Ｈに相当する構成を有する。
（３）（構成Ｃ、Ｉ）
　引用発明の構成ｃｉｐの「大当り中演出に関する動作として、ラウンド画面の表示等を行」うことは、本願発明の構成Ｃの「複数の表示演出のうちの一つの演出として」の「第２の表示演出をおこなう」ことに相当するとともに、引用発明の構成ｃｉｐの「大当り中演出に関する動作として」の「ラウンド画面の表示」は本願発明の構成Ｉの「大当たり遊技中の大当たり遊技表示をおこなう演出」に相当する。
　してみると、引用発明の構成ｃｉｐは、本願発明の構成Ｃ、Ｉに相当する構成を有する。
（４）（構成Ｄ、Ｊ）
　引用発明の構成ｄｉの「上段に大きなフォントのメッセージ「のめり込みに注意しましょう」とその下段に小さなフォントの詳細な注意事項とを表示する、注意喚起表示７２３」は、その掲出態様からみて、「上段」の「大きなフォントのメッセージ「のめり込みに注意しましょう」」は注意喚起の概要を示したものとみるべきであり、「下段」の「小さなフォントの詳細な注意事項」は、「上段」に「大きなフォント」で示した「メッセージ「のめり込みに注意しましょう」」について、より具体的にその注意内容を詳細に示したものと解するのが相当である。そうすると、引用発明の構成ｄｉにおける「大きなフォントのメッセージ「のめり込みに注意しましょう」」は本願発明の構成Ｊの「遊技者の遊技に関してのめり込みを注意喚起する第１ののめり込み注意喚起表示をおこなう演出」に相当することに加え、引用発明の構成ｄｉにおける「小さなフォントの詳細な注意事項」もまた、本願発明の構成Ｊの「遊技者の遊技に関してのめり込みを注意喚起する第１ののめり込み注意喚起表示をおこなう演出」に相当するものであるといえる。
　したがって、引用発明の構成ｄｉの「大きなフォントのメッセージ「のめり込みに注意しましょう」と小さなフォントの詳細な注意事項とを表示する、注意喚起表示７２３」を「掲出」することは、本願発明の構成Ｄの「複数の表示演出のうちの一つの演出として」の「第３の表示演出をおこなう」ことに相当するとともに、引用発明の構成ｄｉの「大きなフォントのメッセージ「のめり込みに注意しましょう」と小さなフォントの詳細な注意事項とを表示する、注意喚起表示７２３」は、本願発明の構成Ｊの「遊技者の遊技に関してのめり込みを注意喚起する第１ののめり込み注意喚起表示をおこなう演出」に相当する。
　してみると、引用発明の構成ｄｊは、本願発明の構成Ｄ、Ｊに相当する構成を有する。
（５）（構成Ｅ、Ｋ、Ｌ）
　引用発明の構成ｅｋｌｐの「メッセージ「のめり込みに注意しましょう」を表示」する「注意喚起Ｂ表示をおこなう」ことは、本願発明の構成Ｅの「複数の表示演出のうちの一つの演出として」の「第４の表示演出をおこなう」ことに相当するとともに、引用発明の構成ｅｋｌｐの「メッセージ「のめり込みに注意しましょう」を表示」する「注意喚起Ｂ表示」は本願発明の構成Ｋの「第２ののめり込み注意喚起表示をおこなう演出」に相当する。
　また、引用発明の構成ｅｋｌｐの「注意喚起Ｂ表示は、注意喚起表示７２３と「のめり込みに注意しましょう」の文言が一致する一方、注意喚起表示７２３はさらに詳細な注意事項の文言を有する点で注意喚起Ｂ表示と異な」ることは、本願発明の構成Ｋの「第２ののめり込み注意喚起表示」が「前記第１ののめり込み注意喚起表示とは異なる」ことに相当するとともに、同構成Ｌの「前記第２ののめり込み注意喚起表示は、のめり込みを注意喚起するための文言が前記第１ののめり込み注意喚起表示と異なって」いることに相当する。
　してみると、引用発明の構成ｅｋｌｐは、本願発明の構成Ｅ、Ｋ、Ｌに相当する構成を有する。
（６）（構成Ｆ、Ｍ）
　引用発明の構成ｆｍの「プリペイドカードの取り忘れに対する注意を喚起する表示である、注意喚起Ａ表示をおこな」うことは、本願発明の構成Ｆの「複数の表示演出のうちの一つの演出として」の「第５の表示演出をおこなう」ことに相当するとともに、引用発明の構成ｆｍの「プリペイドカードの取り忘れに対する注意を喚起する表示である、注意喚起Ａ表示」は本願発明の構成Ｍの「前記第１ののめり込み注意喚起表示および前記第２ののめり込み注意喚起表示とは異なる表示であって遊技者に対して忘れ物に注意するように注意喚起する忘れ物注意喚起表示をおこなう演出」に相当する。
　してみると、引用発明の構成ｆｍは、本願発明の構成Ｆ、Ｍに相当する構成を有する。
（７）（構成Ｇ，Ｎ）
　引用発明の構成ｇｎの「遊技機１０の製造企業名を表示する企業ロゴ表示をおこな」うことは、本願発明の構成Ｇの「複数の表示演出のうちの一つの演出として」の「第６の表示演出をおこなう」ことに相当するとともに、引用発明の構成ｇｎの「遊技機１０の製造企業名を表示する企業ロゴ表示」は本願発明の構成Ｎの「前記遊技機の製造メーカーを表す製造メーカー表示」に相当する。
　してみると、引用発明の構成ｇｎは、本願発明の構成Ｇ、Ｎに相当する構成を有する。
（８）（構成Ｏ）
　引用発明の構成ｏの「各構成」を「組み合わせて適用する」ことは、引用発明の構成ａ〜ｇｎを踏まえると、本願発明の構成Ｏの「前記第１の表示演出と前記第２の表示演出と前記第３の表示演出と前記第４の表示演出と前記第５の表示演出と前記第６の表示演出とを含む組み合わせ演出がおこなわれる」ことを含むことは明らかである。
　してみると、引用発明の構成ｏは、本願発明の構成Ｏに相当する構成を有する。
（９）（構成Ｐ）
ア　引用発明の構成ｂｈの「客待ち表示７２１を含」む「客待ち画面である表示画面７２０」（本願発明の構成Ｐの「前記第１の表示演出における前記待ち受け表示」に相当）を表示すること、及び
　引用発明の構成ｄｊの「客待ち画面からオプション設定画面に切り替わる際に挿入される」「大きなフォントのメッセージ「のめり込みに注意しましょう」と小さなフォントの詳細な注意事項とを表示する、注意喚起表示７２３」（本願発明の「第３の表示演出における前記第１ののめり込み注意喚起表示」に相当）を表示することは、両者で本願発明の構成Ｐの
「前記第１の表示演出における前記待ち受け表示と前記第３の表示演出における前記第１ののめり込み注意喚起表示とが同時期に前記表示手段に表示され」ることと、
「前記第１の表示演出における前記待ち受け表示と前記第３の表示演出における前記第１ののめり込み注意喚起表示とが前記表示手段に表示され」る点（以下、「構成Ｐ共通点」という。）で共通する。
イ　また一般的に、遊技機においては、「客待ち画面」の後に遊技者が遊技を開始し、その結果として大当りが発生して大当り演出がおこなわれるとの順序で遊技が進行することが技術常識であることを考慮すると、引用発明ｃｉｐにおける「大当り中演出に関する動作として、ラウンド画面の表示等を行」うこと（本願発明の「第２の表示演出がおこなわれ」ることに相当）は、「客待ち画面」の後におこなわれるものといえるから、引用発明の構成ｂｈの「客待ち表示７２１を含」む「客待ち画面である表示画面７２０」を表示すること、及び、引用発明の構成ｄｊの「客待ち画面からオプション設定画面に切り替わる際に挿入される」「大きなフォントのメッセージ「のめり込みに注意しましょう」と小さなフォントの詳細な注意事項とを表示する、注意喚起表示７２３」を表示すること（両者は本願発明の構成Ｐと、構成Ｐ共通点で共通する。）よりも後におこなわれるものといえる。
　してみると、引用発明の構成ｂｈの「客待ち表示７２１を含」む「客待ち画面である表示画面７２０」を表示すること、及び、引用発明の構成ｄｊの「客待ち画面からオプション設定画面に切り替わる際に挿入される」「大きなフォントのメッセージ「のめり込みに注意しましょう」と小さなフォントの詳細な注意事項とを表示する、注意喚起表示７２３」を表示すること（両者で本願発明の構成Ｐと、構成Ｐ共通点で共通）、
　及び引用発明ｃｉｐにおける「大当り中演出に関する動作として、ラウンド画面の表示等を行」うこと（本願発明の「第２の表示演出がおこなわれ」ることに相当）は、本願発明の構成Ｐと
「前記組み合わせ演出では、前記第１の表示演出における前記待ち受け表示と前記第３の表示演出における前記第１ののめり込み注意喚起表示とが前記表示手段に表示された後、前記第２の表示演出がおこなわれ」る点で共通する。
ウ　引用発明の構成ｅｋｌｐの「メッセージ「のめり込みに注意しましょう」を表示」する「注意喚起Ｂ表示」（本願発明の「第４の表示演出」に相当）と、同構成ｆｍの「プリペイドカードの取り忘れに対する注意を喚起する表示である、注意喚起Ａ表示」（本願発明の「第５の表示演出」に相当）を「並行して表示」（同構成ｐ）（本願発明の「前記第４の表示演出と前記第５の表示演出」に相当）することは、同構成ｅｋｌｐによれば、「
大当り終了後に
大当り中演出
　また、引用発明の構成ｅｋｌｐの「メッセージ「のめり込みに注意しましょう」を表示」する「注意喚起Ｂ表示」と、同構成ｆｍの「プリペイドカードの取り忘れに対する注意を喚起する表示である、注意喚起Ａ表示」を「並行して表示」（同構成ｐ）することは、本願発明の構成Ｐの「前記第４の表示演出における前記第２ののめり込み注意喚起表示と前記第５の表示演出における前記忘れ物注意喚起表示とは前記表示手段において同時に表示され」ることに相当する。
　してみれば、引用発明の構成ｅｋｌｐの「メッセージ「のめり込みに注意しましょう」を表示」する「注意喚起Ｂ表示」と、同構成ｆｍの「プリペイドカードの取り忘れに対する注意を喚起する表示である、注意喚起Ａ表示」を「並行して表示」（同構成ｐ）することは、本願発明の構成Ｐの「前記第２の表示演出がおこなわれた後、前記第４の表示演出と前記第５の表示演出とがおこなわれ、前記第４の表示演出における前記第２ののめり込み注意喚起表示と前記第５の表示演出における前記忘れ物注意喚起表示とは前記表示手段において同時に表示され」ることに相当する。
エ　引用発明の構成ｇｎ及び構成ｐの「「エンディング１」は、遊技機１０の製造企業名を表示する企業ロゴ表示をおこない」「企業ロゴ表示の後、注意喚起Ａ表示及び注意喚起Ｂ表示をおこない」「注意喚起Ａ表示と注意喚起Ｂ表示とを並行して表示する」ことは、本願発明の構成Ｐの「前記第６の表示演出は、前記第２の表示演出の後であって、前記第４の表示演出と前記第５の表示演出とがおこなわれる前におこなわれる」ことに相当する。
オ　上記ア〜エを総合すると、引用発明と本願発明の構成Ｐとは、
「前記組み合わせ演出では、前記第１の表示演出における前記待ち受け表示と前記第３の表示演出における前記第１ののめり込み注意喚起表示とが前記表示手段に表示された後、前記第２の表示演出がおこなわれ、前記第２の表示演出がおこなわれた後、前記第４の表示演出と前記第５の表示演出とがおこなわれ、前記第４の表示演出における前記第２ののめり込み注意喚起表示と前記第５の表示演出における前記忘れ物注意喚起表示とは前記表示手段において同時に表示され、前記第６の表示演出は、前記第２の表示演出の後であって、前記第４の表示演出と前記第５の表示演出とがおこなわれる前におこなわれる」点で共通する。
（１０）（構成Ｑ）
　引用発明の「遊技機１０」が本願発明の「遊技機」に相当することは、上記（１）（構成Ａ）にて説示のとおりである。
　してみると、引用発明の構成ｑは、本願発明の構成Ｑに相当する構成を有する。
　そうすると、本願発明と引用発明の一致点及び相違点は、以下のとおりである。
（一致点）
「Ａ　複数の表示演出を実行可能な表示手段を備える遊技機であって、
Ｂ　前記複数の表示演出のうちの一つの演出として、第１の表示演出をおこなう場合があり、
Ｃ　前記複数の表示演出のうちの一つの演出として、第２の表示演出をおこなう場合があり、
Ｄ　前記複数の表示演出のうちの一つの演出として、第３の表示演出をおこなう場合があり、
Ｅ　前記複数の表示演出のうちの一つの演出として、第４の表示演出をおこなう場合があり、
Ｆ　前記複数の表示演出のうちの一つの演出として、第５の表示演出をおこなう場合があり、
Ｇ　前記複数の表示演出のうちの一つの演出として、第６の表示演出をおこなう場合があり、
Ｈ　前記第１の表示演出は、待ち受け表示をおこなう演出であり、
Ｉ　前記第２の表示演出は、大当たり遊技中の大当たり遊技表示をおこなう演出であり、
Ｊ　前記第３の表示演出は、遊技者の遊技に関してのめり込みを注意喚起する第１ののめり込み注意喚起表示をおこなう演出であり、
Ｋ　前記第４の表示演出は、前記第１ののめり込み注意喚起表示とは異なる第２ののめり込み注意喚起表示をおこなう演出であり、
Ｌ　前記第２ののめり込み注意喚起表示は、のめり込みを注意喚起するための文言が前記第１ののめり込み注意喚起表示と異なっており、
Ｍ　前記第５の表示演出は、前記第１ののめり込み注意喚起表示および前記第２ののめり込み注意喚起表示とは異なる表示であって遊技者に対して忘れ物に注意するように注意喚起する忘れ物注意喚起表示をおこなう演出であり、
Ｎ　前記第６の表示演出は、前記遊技機の製造メーカーを表す製造メーカー表示をおこなう演出であり、
Ｏ　前記第１の表示演出と前記第２の表示演出と前記第３の表示演出と前記第４の表示演出と前記第５の表示演出と前記第６の表示演出とを含む組み合わせ演出がおこなわれる場合があり、
Ｐ´前記組み合わせ演出では、前記第１の表示演出における前記待ち受け表示と前記第３の表示演出における前記第１ののめり込み注意喚起表示とが前記表示手段に表示された後、前記第２の表示演出がおこなわれ、前記第２の表示演出がおこなわれた後、前記第４の表示演出と前記第５の表示演出とがおこなわれ、前記第４の表示演出における前記第２ののめり込み注意喚起表示と前記第５の表示演出における前記忘れ物注意喚起表示とは前記表示手段において同時に表示され、前記第６の表示演出は、前記第２の表示演出の後であって、前記第４の表示演出と前記第５の表示演出とがおこなわれる前におこなわれる、
Ｑ　遊技機。」
（相違点）（構成Ｐ）
　「組み合わせ演出」における、「第１の表示演出における前記待ち受け表示と前記第３の表示演出における前記第１ののめり込み注意喚起表示」に関し、本願発明は、
「前記第１の表示演出における前記待ち受け表示と前記第３の表示演出における前記第１ののめり込み注意喚起表示とが同時期に前記表示手段に表示され」るのに対し、引用発明の「客待ち表示７２１を含」む「客待ち画面である表示画面７２０」（前記第１の表示演出における前記待ち受け表示）と「客待ち画面からオプション設定画面に切り替わる際に挿入される」「大きなフォントのメッセージ「のめり込みに注意しましょう」と小さなフォントの詳細な注意事項とを表示する、注意喚起表示７２３」（第３の表示演出における前記第１ののめり込み注意喚起表示）は、同時期に表示されるものではない点。
６　相違点の検討
　上記相違点について検討する。
　待ち受け表示をおこなう演出（第１の表示演出）がおこなわれているときに、のめり込み注意喚起表示をおこなう演出（第３の表示演出）をおこなうことは、例えば引用文献２（特に【００８１】の「
客待ち状態中には
のめりこみ警告、・・・が報知される
特開２０１８−１２０００号公報（特に【１２２２】の「また、画像表示装置１４の表示部１４０で実行する
客待ち演出として
遊技者に対する注意喚起の情報
「のめり込み禁止」
を表示する注意喚起表示
特開２０１７−１８９６６６号公報（特に【０１８７】の「次に、
第２待機状態において実行される客待ち演出
客待ち演出には
各種の注意喚起と
各種の注意喚起が実行され
各種の注意喚起には
のめり込みに関する注意喚起
にみられるように従来より周知の事項であり、引用発明の「客待ち画面からオプション設定画面に切り替わる際」に「大きなフォントのメッセージ「のめり込みに注意しましょう」と小さなフォントの詳細な注意事項とを表示」することに代えて、「客待ち画面である表示画面７２０」の表示（第１の表示演出）がおこなわれているときに「大きなフォントのメッセージ「のめり込みに注意しましょう」と小さなフォントの詳細な注意事項とを表示」することは、当業者が容易に想到することである。
　そして、引用文献１の【０８１６】に記載の「
遊技者が遊技開始前
注意喚起をおこなうことができる。したがって
遊技者が注意喚起を甘受しやすい状態で注意喚起をおこなうことができ
　そして、本願発明の作用効果は、引用発明及び周知の事項から予測できるものである。
　そうすると、本願発明は引用発明及び周知の事項から当業者が容易に発明をすることができたものである。
　
７　請求人の主張について
（１）　審判請求人は、令和２年１０月１９日提出の意見書（以下、単に「意見書」という。）の「（２）理由１、２について」「（２−２）請求項１に係る発明と引用文献１〜２との対比」において、
「引用文献１には、以下のａ〜ｎが記載されております。
・・・
ｅ，ｊ　遊技へののめり込みに対する注意を喚起する表示である注意喚起Ｂ表示をおこない、注意喚起Ｂ表示は、メッセージ「のめり込みに注意しましょう」を表示し、注意喚起Ｂ表示は、注意喚起表示７２３と「のめり込みに注意しましょう」のフォントの大きさ、及び詳細な注意事項の有無が異なること（段落０６２４、０６２５、０８１６、図１０７（１）、１２８（２）等）。
・・・
　しかしながら、引用文献１において、上記ｊにおける「エンディング１」の注意喚起Ａ表示の「のめり込みに注意しましょう」と、上記ｉにおける注意喚起表示７２３の「のめり込みに注意しましょう」とは同じ文言の表示です。また、注意喚起表示７２３には、詳細な注意事項がある旨が記載されておりますが、この詳細な注意事項の具体的な内容が分からず、のめり込みに関する情報であるのかそれともその他の注意事項であるのか断定することができません。
　すなわち、「エンディング１」の注意喚起Ａ表示におけるのめり込みを注意喚起する文言と、注意喚起表示７２３におけるのめり込みを注意喚起する文言とは同じであると思料致します。
　従って、引用文献１には、本願の主要構成部の一つである上記構成［５］「前記第２ののめり込み注意喚起表示は、のめり込みを注意喚起するための文言が前記第１ののめり込み注意喚起表示と異なっている点」について開示も示唆もされておりません。」
と主張している。
　しかし、上記「５　本願発明と引用発明の対比」「（４）（構成Ｄ、Ｊ）」にて説示のように、引用発明の構成ｄｉの「
上段に大きなフォントのメッセージ
その下段に小さなフォントの詳細な注意事項
　そうすると、意見書における「注意喚起表示７２３には、詳細な注意事項がある旨が記載されておりますが、この詳細な注意事項の具体的な内容が分からず、のめり込みに関する情報であるのかそれともその他の注意事項であるのか断定することができません。」との解釈を根拠とし、「すなわち、「エンディング１」の注意喚起Ａ表示におけるのめり込みを注意喚起する文言と、注意喚起表示７２３におけるのめり込みを注意喚起する文言とは同じであると思料致します。」との主張を採用して、本願について特許をすべきものとする審決をすることはできない。
（２）　審判請求人は、意見書の「（２）理由１、２について」「（２−２）請求項１に係る発明と引用文献１〜２との対比」において、
「また、引用文献１では、プリペイドカードの取り忘れに対する注意喚起Ａ表示と、「エンディング１」において、のめり込みに対する注意喚起Ｂ表示とを並行して表示することについては記載されておりますが、遊技機１０の製造メーカーを表す製造メーカー表示を、大当たり遊技演出の後であって、注意喚起Ａ表示と注意喚起Ｂ表示の前におこなうことについては開示も示唆もされておりません。」と主張している。
　しかし、上記「５　本願発明と引用発明の対比」「（６）（構成Ｇ，Ｎ）」にて説示のとおり、引用発明の構成ｇｎの「
遊技機１０の製造企業名を表示する企業ロゴ表示をおこな」うこと
第６の表示演出をおこなう」ことに相当
遊技機１０の製造企業名を表示する企業ロゴ表示」
前記遊技機の製造メーカーを表す製造メーカー表示」に相当
企業ロゴ表示の後、注意喚起Ａ表示及び注意喚起Ｂ表示
第６の表示演出は、前記第２の表示演出の後であって、前記第４の表示演出と前記第５の表示演出とがおこなわれる前におこなわれる
　そうすると、引用文献１では、遊技機１０の製造メーカーを表す製造メーカー表示を、大当たり遊技演出の後であって、注意喚起Ａ表示と注意喚起Ｂ表示の前におこなうことについては開示も示唆もされていないとする請求人の上記主張は、引用文献１に基づいた主張となっておらず、当該主張を採用して、本願について特許をすべきものとする審決をすることはできない。
８　むすび　
　以上のとおりであるから、本願発明は、特許法第２９条第２項の規定により特許を受けることができない。
　したがって、本願は拒絶すべきものである。
　
　よって、結論のとおり審決する。